(57)【要約】【課題】ペン先下向き状態において大きなインキの気泡が連通管の後端開口部近傍に停滞することを回避し、インキ貯溜部内と連通管との間のインキと空気のスムーズな交替が可能な筆跡途切れのない直液式筆記具を提供する。【解決手段】直液式筆記具１は、ペン先２と、ペン先２の後端に接続されるインキ吸蔵体３と、インキ吸蔵体３の後方に配置され、インキを直に貯溜するインキ貯溜部６と、インキ貯溜部６とインキ吸蔵体３との間を接続する連通管４２とを備える。連通管４２の後端開口部を覆うように非吸液性の多孔質体７が配置される。多孔質体７はインキ及び空気が通過可能である。多孔質体７を介して、インキ貯溜部６内のインキが連通管４２内に供給されるとともに連通管４２内からインキ貯溜部６内に空気が取り込まれる。【選択図】  図１
2019130875.tif 000002
【特許請求の範囲】
【請求項１】
ペン先と、前記ペン先の後端に接続されるインキ吸蔵体と、前記インキ吸蔵体の後方に配置され、インキを直に貯溜するインキ貯溜部と、前記インキ貯溜部と前記インキ吸蔵体との間を接続する連通管とを備えた直液式筆記具であって、
前記連通管の後端開口部を覆うように非吸液性の多孔質体が配置され、前記多孔質体はインキ及び空気が通過可能であり、前記多孔質体を介して、前記インキ貯溜部内のインキが前記連通管内に供給されるとともに前記連通管内から前記インキ貯溜部内に空気が取り込まれることを特徴とする直液式筆記具。
【請求項２】
前記連通管の後端開口部より後方に、前記連通管の後端開口部を包囲し且つ前記連通管及び前記インキ貯溜部と連通する筒状部が形成され、前記筒状部の内面に前記多孔質体の外面が嵌着される請求項１に記載の直液式筆記具。
【請求項３】
前記多孔質体の前面が前記連通管の後端開口部に当接される請求項１または２に記載の直液式筆記具。
【発明の詳細な説明】
【技術分野】
【０００１】
本発明は、直液式筆記具に関する。
【背景技術】
【０００２】
従来、特許文献１には、ペン先と、前記ペン先の後端に接続されるインキ吸蔵体と、前記インキ吸蔵体の後方に配置され、インキを直に貯溜するインキタンクと、前記インキタンクと前記インキ吸蔵体との間を接続する連通管とからなる直液式筆記具であって、前記連通管を複数備え、前記連通管の各々の前端が開口され、前記連通管の各々の前端がインキ吸蔵体内部に位置されてなる直液式筆記具が開示されている。
【先行技術文献】
【特許文献】
【０００３】
【特許文献１】特開２００６−２４０２８１号
【発明の概要】
【発明が解決しようとする課題】
【０００４】
前記特許文献１の筆記具は、インキタンク内に貯溜されるインキが水性顔料インキである場合、使用前にインキを撹拌すると、インキタンク内においてインキが泡立ちやすい。もし、ペン先下向き状態において、泡立ったインキの大きな気泡が連通管の後端開口部近傍に停滞すると、インキタンク内と連通管との間のインキと空気の交替がスムーズに行われず、筆跡途切れが発生するおそれがある。
【０００５】
本発明は、前記従来の問題点を解決するものであって、ペン先下向き状態において大きなインキの気泡が連通管の後端開口部近傍に停滞することを回避し、インキ貯溜部内と連通管との間のインキと空気のスムーズな交替が可能な直液式筆記具を提供しようとするものである。
【０００６】
尚、本発明で、「前」とは、ペン先側を指し、「後」とは、その反対側を指す。
【課題を解決するための手段】
【０００７】
本願の第１の発明は、ペン先２と、前記ペン先２の後端に接続されるインキ吸蔵体３と、前記インキ吸蔵体３の後方に配置され、インキを直に貯溜するインキ貯溜部６と、前記インキ貯溜部６と前記インキ吸蔵体３との間を接続する連通管４２とを備えた直液式筆記具であって、前記連通管４２の後端開口部を覆うように非吸液性の多孔質体７が配置され、前記多孔質体７はインキ及び空気が通過可能であり、前記多孔質体７を介して、前記インキ貯溜部６内のインキが前記連通管４２内に供給されるとともに前記連通管４２内から前記インキ貯溜部６内に空気が取り込まれることを要件とする。
【０００８】
前記第１の発明の直液式筆記具１は、前記連通管４２の後端開口部を覆うように非吸液性の多孔質体７が配置され、前記多孔質体７はインキ及び空気が通過可能であり、前記多孔質体７を介して、前記インキ貯溜部６内のインキが前記連通管４２内に供給されるとともに前記連通管４２内から前記インキ貯溜部６内に空気が取り込まれることにより、インキ貯溜部６内にインキの大きな気泡が発生したとしても、ペン先下向き状態において連通管４２の後端開口部近傍にその大きな気泡が停滞せず、非吸液性の多孔質体７をインキと空気が円滑に通過し、インキ貯溜部６内と連通管４２との間のインキと空気のスムーズな交替が可能となり、筆跡途切れが発生するおそれがない。
【０００９】
本願の第２の発明の直液式筆記具１は、前記第１の発明の直液式筆記具において、前記連通管４２の後端開口部より後方に、前記連通管４２の後端開口部を包囲し且つ前記連通管４２及び前記インキ貯溜部６と連通する筒状部４３が形成され、前記筒状部４３の内面に前記多孔質体７の外面が嵌着されることを要件とする。
【００１０】
前記第２の発明の直液式筆記具１は、前記連通管４２の後端開口部より後方に、前記連通管４２の後端開口部を包囲し且つ前記連通管４２及び前記インキ貯溜部６と連通する筒状部４３が形成され、前記筒状部４３の内面に前記多孔質体７の外面が嵌着されることにより、前記多孔質体７の安定した取り付け状態が維持される。
【００１１】
本願の第３の発明は、前記第１または第２の発明の直液式筆記具において、前記多孔質体７の前面が前記連通管４２の後端開口部に当接されることを要件とする。
【００１２】
前記第３の発明の直液式筆記具１は、前記多孔質体７の前面が前記連通管４２の後端開口部に当接されることにより、前記多孔質体７を所定位置に確実に取り付けることができ、前記多孔質体７が前記連通管４２の後端開口部を覆うように確実に配置される。
【発明の効果】
【００１３】
本発明の直液式筆記具は、ペン先下向き状態において大きなインキの気泡が連通管の後端開口部近傍に停滞することを回避し、インキ貯溜部内と連通管との間のインキと空気のスムーズな交替が可能となり、筆跡途切れが発生するおそれがない。
【図面の簡単な説明】
【００１４】
【図１】本発明の第１の実施の形態の直液式筆記具の縦断面図である。
【図２】（１）は図１のＡ−Ａ線断面図であり、（２）は図１のＢ−Ｂ線断面図であり、（３）は図１のＣ−Ｃ線断面図である。
【図３】本発明の第２の実施の形態の直液式筆記具の縦断面図である。
【図４】（１）は図３のＤ−Ｄ線断面図であり、（２）は図３のＥ−Ｅ線断面図であり、（３）は図３のＦ−Ｆ線断面図である。
【発明を実施するための形態】
【００１５】
＜第１の実施の形態＞
本発明の第１の実施の形態を図１及び図２に示す。
【００１６】
本実施の形態の直液式筆記具１は、ペン先２と、ペン先２の後端に接続されるインキ吸蔵体３と、インキ吸蔵体３の後方に配置される中間部材４と、中間部材４の後方に配置されるインキタンク６１と、前端部でペン先２を保持し且つ内部にインキ吸蔵体３、中間部材４、及びインキタンク６１の３部品を収容する軸筒５と、軸筒５のペン先側に着脱自在に設けられ且つペン先を密封するキャップ８とを備える。
【００１７】
・ペン先
ペン先２は、合成樹脂製繊維（例えば、ポリエステル繊維、アクリル繊維、ナイロン繊維等）の樹脂加工により得られる棒状体である。ペン先２の前端は、砲弾状に研削される。ペン先２の後端部外周面は、テーパ状に面取りされる。これ以外にも、ペン先２は、ボールペンチップ、毛細力を有する軸方向に延びるインキ誘導路を備える合成樹脂の押出成形体からなるペン体、合成樹脂の発泡体からなるペン体、または毛筆体等が挙げられる。
【００１８】
・インキ吸蔵体
インキ吸蔵体３は、円柱状の合成樹脂製繊維（例えば、ポリエステル繊維）の加工体または合成樹脂の多孔質発泡体よりなる。インキ吸蔵体３の前端面の軸心にペン先２の後端が突き刺し挿入され、ペン先２の後端がインキ吸蔵体３の内部に位置される。インキ吸蔵体３は、ペン先２とインキ貯溜部６との間に配置され、インキ貯溜部６の内圧上昇に応じた溢出インキを一時的に保持する部材である。
【００１９】
・軸筒
軸筒５は、前軸５１と、該前軸５１の後端開口部に着脱自在に螺着される後軸５２とからなり、前軸５１及び後軸５２は、両者共に、合成樹脂（例えば、ポリプロピレン、ポリエチレン等）の射出成形により得られる筒状体である。
【００２０】
前軸５１は、ペン先２の外周面を保持する先細部と、該先細部より後方に連設され、インキ吸蔵体３、隔壁４１、及びインキタンク６１前部とを収容する本体部とからなる。
【００２１】
・後軸
後軸５２は、前端が開口され且つ後端が閉鎖された有底筒状体であり、後軸５２の前端開口部が前軸５１の後端開口部に螺着されると、後軸５２内部にインキタンク６１の後部が収容される。後軸５２は、透明または半透明の合成樹脂（例えばポリプロピレン）の射出成形により得られる。後軸５２を通して外部よりインキタンク６１（即ちインキ貯溜部６後部）を視認できる。
【００２２】
・中間部材
中間部材４は、合成樹脂（例えば、ポリプロピレン、ポリエチレン等）の射出成形より得られる。中間部材４は、軸筒５内のインキ吸蔵体収容部とインキ貯溜部６とを区画する隔壁４１と、隔壁４１の前面より前方に突出され且つインキ吸蔵体３の内部に突き刺し接続される複数本（具体的には２本）の連通管４２と、隔壁４１の後面より後方に突出され且つインキタンク６１の前端開口部内面に挿着される筒状部４３と、隔壁４１の前面または後面に突出形成され且つ軸筒５の内面（本体部の内面）に固着される取付筒部４４とを備える。軸筒５内及び隔壁４１によって形成される空間（即ち吸蔵体収容部）に、インキ吸蔵体３が収容される。取付筒部４４は連通管４２の後端部外周または筒状部４３の基部外周を包囲している。隔壁４１は円板状であり、各々の連通管４２、筒状部４３、及び取付筒部４４は、円筒状である。
【００２３】
中間部材４において、隔壁４１、連通管４２、筒状部４３、及び取付筒部４４は一体に連設される（即ち一体に形成される）。即ち、中間部材４により、隔壁４１、連通管４２、筒状部４３、及び取付筒部４４を１部品で構成できる。
【００２４】
連通管４２の各々の内部には、軸方向に流通路４２ａが設けられ、流通路４２ａが、連通管４２の各々の両端にて開口される。連通管４２の各々の前端は、インキ吸蔵体３の内部に開口され、連通管４２の各々の後端は、隔壁４１の後端より後方へインキ貯溜部６内に開口される。各々の連通管４２は、インキ吸蔵体３とインキ貯溜部６との間に並列に配置されるため、インキ吸蔵体３と、その後方のインキ貯溜部６との間に、独立した複数本の流通路４２ａが並列に設けられる。尚、本発明において、連通管４２は少なくとも１本備えればよく、連通管４２が１本のみの構成も含まれる。
【００２５】
隔壁４１の前面には、軸方向に延びる板状の当接壁部４５が形成される。当接壁部４５の前端が、インキ吸蔵体３の後端面と当接される。当接壁部４５が各々の連通管４２の側壁を連結している。
【００２６】
・筒状部
筒状部４３の形状は、円筒状であり、多孔質体７の形状は、円板状（または円柱状）である。筒状部４３の内面に多孔質体７の外面が嵌合される。多孔質体７は連通管４２の後端開口部（流通路４２ａの後端開口部）を塞ぐように配置される。多孔質体７は、連通管４２の後端開口部に当接される。即ち、多孔質体７は、連通管４２の後端が開口される隔壁４１の後面に当接される。多孔質体７の外径は、１０ｍｍ〜１５ｍｍの範囲に設定される。連通管４２の内径（流通路４２ａの内径）は０．５ｍｍ〜２．５ｍｍの範囲に設定される。即ち、多孔質体の７の外径は連通管４２の内径より大きく設定される。本発明で、筒状部４３は、連通管４２の後端開口部より後方に、連通管４２の後端開口部を包囲し且つインキ貯溜部６及び連通管４２と連通するものであれば、インキタンク６１の前端部の周壁により構成してもよい。
【００２７】
・インキタンク
インキタンク６１は、前端が開口し且つ後端が閉鎖された有底の円筒体であり、透明または半透明の合成樹脂（例えばポリプロピレン）の射出成形またはブロー成形により得られる。インキタンク６１の前端開口部内面が筒状部４３の外面に接続されることにより、隔壁４１の後方にインキ貯溜部６が構成される。インキ貯溜部６内には、直にインキが貯溜（収容）される。インキ貯溜部６内に収容されるインキは、筆記具用インキまたは塗布液（例えば、化粧液、修正液、接着剤、塗料、液体医薬品等）が適宜採用される。インキ貯溜部６内に収容されるインキは、水を主溶剤とし、着色剤として顔料を含有する水性インキが採用される。これ以外にも、インキ貯溜部６内に収容されるインキは、水を主溶剤とし、着色剤として染料を含有する水性インキ、または有機溶剤を主溶剤とする油性インキ（即ち油性の筆記具用インキまたは油性の塗布液）でもよい。
【００２８】
・撹拌部材
インキ貯溜部６内には、インキ内を自由に移動してインキ内の着色剤を均一に分散させるための撹拌部材６２が収容される。撹拌部材６２は、球状体または柱状体が採用される。撹拌部材６２の材料は、例えば、金属、セラミック、ガラス等が挙げられる。
【００２９】
・多孔質体
多孔質体７は、合成樹脂（例えばポリウレタン、ポリエチレン、ポリプロピレン等）の発泡体により形成される。多孔質体７は、弾性を有することが好ましい。それにより、筒状部４３の内面に嵌合により確実に装着できる。多孔質体７は、非吸液性であり、粗目の発泡体が採用され、そのセル数は５〜１５個／２５ｍｍ（好ましくは５〜１０個／２５ｍｍ）のものが用いられる。それにより、多孔質体７は、十分な消泡性が得られるとともに、内部にインキを保持することなく、内部をインキが迅速に通過することができる。なお、前記セル数は、多孔質体において任意方向に長さ２５ｍｍの直線を仮想し、この直線と交差する空孔の数である。
【００３０】
本実施の形態では、非吸液性の多孔質体７に撹拌部材６２が当接可能に構成される。それにより、撹拌時、撹拌部材６２がインキ貯溜部６内壁に衝突するときに発生する音を抑えることができ、また、多孔質体７後面までインキ貯溜部６内部の撹拌部材６２の可動範囲をできるだけ大きくできる。また、多孔質体７が連通管４２の後端開口部を覆うように配置されるため、連通管４２の後端開口部（流通路４２ａの後端開口部）を撹拌部材６２が塞ぐことを確実に回避でき、その結果、撹拌部材６２の形状や連通管４２の後端開口部の形状を自由に設定できる。
【００３１】
本実施の形態の直液式筆記具１は、連通管４２の後端開口部を覆うように非吸液性の多孔質体７が配置され、多孔質体７はインキ及び空気が通過可能であり、多孔質体７を介して、インキ貯溜部６内のインキが連通管４２内に供給されるとともに連通管４２内からインキ貯溜部６内に空気が取り込まれることにより、インキ貯溜部６内に大きなインキの気泡が発生したとしても、ペン先下向き状態において連通管４２の後端開口部近傍にその大きな気泡が停滞せず、多孔質体７をインキと空気が円滑に通過し、インキ貯溜部６と連通管４２との間のインキと空気のスムーズな交替が可能となり、筆跡途切れが発生するおそれがない。
【００３２】
本実施の形態の直液式筆記具１は、連通管４２の後端開口部より後方に、連通管４２の後端開口部を包囲し且つ連通管４２及びインキ貯溜部６と連通する筒状部４３が形成され、筒状部４３の内面に多孔質体７の外面が嵌着されることにより、多孔質体７の安定した取り付け状態が維持される。
【００３３】
本実施の形態の直液式筆記具１は、多孔質体７の前面が連通管４２の後端開口部に当接されることにより、多孔質体７を所定位置に確実に取り付けることができ、多孔質体７が連通管４２の後端開口部を覆うように確実に配置される。
【００３４】
＜第２の実施の形態＞
本発明の第２の実施の形態を図３及び図４に示す。
【００３５】
本実施の形態の直液式筆記具１は、ペン先２と、ペン先２の後端に接続されるインキ吸蔵体３と、インキ吸蔵体３の後方に配置される中間部材４と、中間部材４の後方に配置されるインキタンク６１と、中間部材４の前端開口部と接続され前端にペン先２を備えた前軸５１とを備える。本実施の形態は、前軸５１と、中間部材４と、インキタンク６１とにより、軸筒が構成される。
【００３６】
・ペン先
ペン先２は、合成樹脂製繊維（例えば、ポリエステル繊維、アクリル繊維、ナイロン繊維等）の樹脂加工により得られる棒状体である。ペン先２の前端は、砲弾状に研削される。ペン先２の後端部外周面は、テーパ状に面取りされる。これ以外にも、ペン先２は、ボールペンチップ、毛細力を有する軸方向に延びるインキ誘導路を備える合成樹脂の押出成形体からなるペン体、合成樹脂の発泡体からなるペン体、または毛筆体等が挙げられる。
【００３７】
・インキ吸蔵体
インキ吸蔵体３は、円柱状の合成樹脂製繊維（例えば、ポリエステル繊維）の加工体または合成樹脂の多孔質発泡体よりなる。インキ吸蔵体３の前端面の軸心にペン先２の後端が突き刺し挿入され、ペン先２の後端がインキ吸蔵体３の内部に位置される。インキ吸蔵体３は、ペン先２とインキ貯溜部６との間に配置され、インキ貯溜部６の内圧上昇に応じた溢出インキを一時的に保持する部材である。
【００３８】
・前軸
前軸５１は、合成樹脂（例えば、ポリプロピレン、ポリエチレン等）の射出成形により得られる筒状体である。
【００３９】
前軸５１は、ペン先２の外周面を保持する先細状の前部と、該前部より後方に連設され、中間部材４の前端開口部に内面に固着される筒状の後部とからなる。
【００４０】
・中間部材
中間部材４は、合成樹脂（例えば、ポリプロピレン、ポリエチレン等）の射出成形より得られる。中間部材４は、軸筒５内のインキ吸蔵体収容部とインキ貯溜部６とを区画する隔壁４１と、隔壁４１の前面より前方に突出され且つインキ吸蔵体３の内部に突き刺し接続される複数本（具体的には２本）の連通管４２と、隔壁４１の後面より後方に突出され且つインキタンク６１の前端開口部内面に挿着される筒状部４３と、隔壁４１の前面または後面に突出形成され且つ中間部材４の後部外面に固着される取付筒部４４とを備える。前軸５１内及び取付筒部４４よって形成される空間（即ち吸蔵体収容部）に、インキ吸蔵体３が収容される。取付筒部４４は連通管４２の外周を包囲している。隔壁４１は円板状であり、各々の連通管４２、筒状部４３、及び取付筒部４４は、円筒状である。
【００４１】
中間部材４において、隔壁４１、連通管４２、筒状部４３、及び取付筒部４４は一体に連設される（即ち一体に形成される）。即ち、中間部材４により、隔壁４１、連通管４２、筒状部４３、及び取付筒部４４を１部品で構成できる。
【００４２】
連通管４２の各々の内部には、軸方向に流通路４２ａが設けられ、流通路４２ａが、連通管４２の各々の両端にて開口される。連通管４２の各々の前端は、インキ吸蔵体３の内部に開口され、連通管４２の各々の後端は、隔壁４１の後端より後方へインキ貯溜部６内に開口される。各々の連通管４２は、インキ吸蔵体３とインキ貯溜部６との間に並列に配置されるため、インキ吸蔵体３と、その後方のインキ貯溜部６との間に、独立した複数本の流通路４２ａが並列に設けられる。尚、本発明において、連通管４２は少なくとも１本備えればよく、連通管４２が１本のみの構成も含まれる。
【００４３】
隔壁４１の前面には、軸方向に延びる板状の当接壁部４５が形成される。当接壁部４５の前端が、インキ吸蔵体３の後端面と当接される。当接壁部４５が各々の連通管４２の側壁を連結している。
【００４４】
・筒状部
筒状部４３の形状は、円筒状であり、多孔質体７の形状は、円板状（または円柱状）である。筒状部４３の内面に多孔質体７の外面が嵌合される。多孔質体７は連通管４２の後端開口部（流通路４２ａの後端開口部）を塞ぐように配置される。多孔質体７は、連通管４２の後端開口部に当接される。即ち、多孔質体７は、連通管４２の後端が開口される隔壁４１の後面に当接される。多孔質体７の外径は、１０ｍｍ〜１５ｍｍの範囲に設定される。連通管４２の内径（流通路４２ａの内径）は０．５ｍｍ〜２．５ｍｍの範囲に設定される。即ち、多孔質体の７の外径は連通管４２の内径より大きく設定される。本発明で、筒状部４３は、連通管４２の後端開口部より後方に、連通管４２の後端開口部を包囲し且つインキ貯溜部６及び連通管４２と連通するものであれば、インキタンク６１の前端部の周壁により構成してもよい。
【００４５】
・インキタンク
インキタンク６１は、前端が開口し且つ後端が閉鎖された有底の円筒体であり、透明または半透明の合成樹脂（例えばポリプロピレン）の射出成形またはブロー成形により得られる。インキタンク６１の前端開口部内面が筒状部４３の外面に接続（具体的には螺着により接続）されることにより、隔壁４１の後方にインキ貯溜部６が構成される。インキ貯溜部６内には、直にインキが貯溜（収容）される。インキ貯溜部６内に収容されるインキは、筆記具用インキまたは塗布液（例えば、化粧液、修正液、接着剤、塗料、液体医薬品等）が適宜採用される。インキ貯溜部６内に収容されるインキは、水を主溶剤とし、着色剤として顔料を含有する水性インキが採用される。インキ貯溜部６内に収容されるインキは、これ以外にも、水を主溶剤とし、着色剤として染料を含有する水性インキ、または有機溶剤を主溶剤とする油性インキ（即ち油性の筆記具用インキまたは油性の塗布液）でもよい。
【００４６】
・撹拌部材
インキ貯溜部６内には、インキ内を自由に移動してインキ内の着色剤を均一に分散させるための撹拌部材６２が収容される。撹拌部材６２は、球状体または柱状体が採用される。撹拌部材６２の材料は、例えば、金属、セラミック、ガラス等が挙げられる。
【００４７】
・多孔質体
多孔質体７は、合成樹脂（例えばポリウレタン、ポリエチレン、ポリプロピレン等）の発泡体により形成される。多孔質体７は、弾性を有することが好ましい。それにより、筒状部４３の内面に嵌合により確実に装着できる。多孔質体７は、非吸液性であり、粗目の発泡体が採用され、そのセル数は５〜１５個／２５ｍｍ（好ましくは５〜１０個／２５ｍｍ）のものが用いられる。それにより、多孔質体７は、十分な消泡性が得られるとともに、内部にインキを保持することなく、内部をインキが迅速に通過することができる。なお、前記セル数は、多孔質体において任意方向に長さ２５ｍｍの直線を仮想し、この直線と交差する空孔の数である。
【００４８】
本実施の形態では、非吸液性の多孔質体７に撹拌部材６２が当接可能に構成される。それにより、撹拌時、撹拌部材６２がインキ貯溜部６内壁に衝突するときに発生する音を抑えることができ、また、多孔質体７後面までインキ貯溜部６内部の撹拌部材６２の可動範囲をできるだけ大きくできる。また、多孔質体７が連通管４２の後端開口部を覆うように配置されるため、連通管４２の後端開口部（流通路４２ａの後端開口部）を撹拌部材６２が塞ぐことを確実に回避でき、その結果、撹拌部材６２の形状や連通管４２の後端開口部の形状を自由に設定できる。
【００４９】
本実施の形態の直液式筆記具１は、連通管４２の後端開口部を覆うように非吸液性の多孔質体７が配置され、多孔質体７はインキ及び空気が通過可能であり、多孔質体７を介して、インキ貯溜部６内のインキが連通管４２内に供給されるとともに連通管４２内からインキ貯溜部６内に空気が取り込まれることにより、インキ貯溜部６内に大きなインキの気泡が発生したとしても、ペン先下向き状態において連通管４２の後端開口部近傍にその大きな気泡が停滞せず、多孔質体７をインキと空気が円滑に通過し、インキ貯溜部６と連通管４２との間のインキと空気のスムーズな交替が可能となり、筆跡途切れが発生するおそれがない。
【００５０】
本実施の形態の直液式筆記具１は、連通管４２の後端開口部より後方に、連通管４２の後端開口部を包囲し且つ連通管４２及びインキ貯溜部６と連通する筒状部４３が形成され、筒状部４３の内面に多孔質体７の外面が嵌着されることにより、多孔質体７の安定した取り付け状態が維持される。
【００５１】
本実施の形態の直液式筆記具１は、多孔質体７の前面が連通管４２の後端開口部に当接されることにより、多孔質体７を所定位置に確実に取り付けることができ、多孔質体７が連通管４２の後端開口部を覆うように確実に配置される。
【符号の説明】
【００５２】
１  直液式筆記具
２  ペン先
３  インキ吸蔵体
４  中間部材
４１  隔壁
４２  連通管
４２ａ  流通路
４３  筒状部
４４  取付筒部
４５  当接壁部
５  軸筒
５１  前軸
５２  後軸
６  インキ貯溜部
６１  インキタンク
６２  撹拌部材
７  多孔質体
８  キャップ
【図１】
2019130875.tif 000003
【図２】
2019130875.tif 000004
【図３】
2019130875.tif 000005
【図４】
2019130875.tif 000006